(57)【特許請求の範囲】
【請求項１】
足を載置するための足載置台と、
前記足載置台を上下に振動させて足裏に振動を与える足載置台加振手段と、
前記足載置台に挿通され、前記足載置台表面から頭部が突出して上下に振動することにより足裏のつぼを刺激する、少なくとも１つの柱状に形成された頭部を有する足つぼ刺激部と、
前記足つぼ刺激部を、前記足載置台加振手段による前記足載置台の上下振動とともに上下に振動させる足つぼ刺激部加振手段と、
を備え、
前記足載置台は、
載置される足の足裏のつぼ部分に、前記足つぼ刺激部の頭部を挿通するためのガイド穴を有し、
前記足載置台加振手段は、
両端部に突出した回転軸を有するモータと、
前記モータの回転軸の一方に備えられた第１プーリと、
前記第１プーリに巻装され、前記モータの回転運動を伝達する第１ベルトと、
前記第１ベルトが巻装された第２プーリを有し、該第２プーリの回転運動を前記足載置台の足を載置する方向の足後端部の上下方向の振動に変換する、前記足載置台の足を載置する方向の足後端部分に設けられたリンク機構と、
を備え、
前記足つぼ刺激部加振手段は、
前記モータの回転軸の他方に備えられた第３プーリと、
前記第３プーリに巻装され、前記モータの回転運動を伝達する第２ベルトと、
前記第２ベルトが巻装された第４プーリを有し、該第４プーリの回転軸中心に対し、中心軸が偏心した状態で装着され、前記足載置台の下部に設置された偏心カムと、
を備え、
前記足つぼ刺激部は、
前記偏心カムに接触する底部と、
前記足載置台に挿通されるように前記底部上に形成された前記頭部と、
を備え、
前記偏心カムは、その中心軸が、前記第４プーリの回転軸への装着部分に対し、回動可能に取り付けられていることを特徴とする足裏マッサージ器。
【請求項２】
請求項１に記載の足裏マッサージ器において、
前記リンク機構は、前記足載置台に載せる足の後端側に配置され、
前記足載置台は、前記足載置台に載せる足の足先側を回転中心として、前記リンク機構により上下に振動するよう構成されたことを特徴とする足裏マッサージ器。
【請求項３】
請求項１又は請求項２に記載の足裏マッサージ器において、
前記足つぼ刺激部は、前記足載置台の表面に配置された頭部カバーにより前記頭部が覆われ、前記足載置台に載置された足の裏面に直接前記頭部が接触しないように形成されていることを特徴とする足裏マッサージ器。
【発明の詳細な説明】
【技術分野】
【０００１】
本発明は、足裏を連続的に刺激してマッサージ効果を得ることができる足裏マッサージ器に関する。
【背景技術】
【０００２】
従来、人の足裏を刺激することによりマッサージ効果が得られることが知られており、足を載せた台を上下に振動させ、その振動を足裏に伝達して足裏を刺激することにより、足裏に対するマッサージ効果を得る足裏マッサージ器があった。
【０００３】
このような足裏マッサージ器では、使用する人の体型や足の形状、あるいは使用目的に応じて振動部分の形状を任意に変更できるようにするなど、足裏全体を効果的に振動させ、よりよいマッサージ効果が得られる工夫がなされている（例えば、特許文献１参照）。
【特許文献１】特開平８−１３１５００号公報
【発明の開示】
【発明が解決しようとする課題】
【０００４】
ところで、足裏のマッサージ効果を得る方法として、足裏を振動させる以外に、足裏のつぼを刺激するという方法があることが知られている。足裏のつぼを指や棒状の器具で押さえて刺激することでマッサージ効果を得るものである。
【０００５】
したがって、足裏全体を刺激するとともに足つぼを刺激することでマッサージ効果を高めることができるが、従来の足裏マッサージ器では、足裏全体を刺激することは可能であるが、同時に足裏のつぼを刺激することはできないという問題があった。
【０００６】
本発明は、こうした問題に鑑みなされたもので、簡素な仕組みで足裏を刺激しマッサージ効果を高めることができる足裏マッサージ器を提供することを目的とする。
【課題を解決するための手段】
【０００７】
かかる問題を解決するためになされた請求項１に記載の足裏マッサージ器（１：この欄においては、発明に対する理解を容易にするため、必要に応じて「発明を実施するための最良の形態」欄において用いた符号を付すが、この符号によって請求の範囲を限定することを意味するものではない。）は、足載置台（１０）、足載置台加振手段（２０）、足つぼ刺激部（４０）及び足つぼ刺激部加振手段（５０）を備えている。
【０００８】
足載置台（１０）は、利用者が足を載置するための台であり、足載置台加振手段（２０）は、足載置台（１０）を上下に振動させて足裏に振動を与える。また、足つぼ刺激部（４０）は、柱状に形成され、足載置台（１０）に挿通されて、足載置台（１０）表面から頭部（４４）が突出して上下に振動することにより足裏のつぼを刺激する少なくとも１つの柱状に形成された頭部（４４）を有し、足つぼ刺激部加振手段（５０）は、足つぼ刺激部（４０）を、足載置台加振手段（２０）による足載置台（１０）の上下振動とともに上下に振動させる。
【０００９】
このような足裏マッサージ器（１）では、足載置台（１０）が振動することにより、足載置台（１０）に載置されている利用者の足裏が全体的に刺激されるので、足裏全体に対するマッサージ効果が得られる。
【００１０】
さらに、足載置台（１０）の振動とともに、足載置台（１０）に挿通した足つぼ刺激部（４０）が上下に加振されるので、足裏の全体の刺激とともに足裏のつぼが刺激されるので、単に足裏全体を振動させる場合に比べ、より効果的なマッサージ効果が得られる。
【００１１】
そして、足載置台（１０）を上下に振動させるとともに、足つぼ刺激部（４０）を上下振動させるには、足載置台（１０）の、載置される足の足裏のつぼ部分に、足つぼ刺激部（４０）の頭部（４４）を挿通するためのガイド穴（１２）を設ける。
【００１２】
また、足載置台加振手段（２０）には、モータ（２２）、第１プーリ（２４）、第１ベルト（２６）及びリンク機構（３２）を備えるようにする。
モータ（２２）は、両端部に突出した回転軸（３０）を有し、第１プーリ（２４）は、モータ（２２）の回転軸（３０）の一方に備えられ、第１ベルト（２６）は、第１プーリ（２４）に巻装され、モータ（２２）の回転運動を伝達する。
【００１３】
リンク機構（３２）は、第１ベルト（２６）が巻装された第２プーリ（２８）を有し、その第２プーリ（２８）の回転運動を足載置台（１０）の足を載置する方向の足後端部の上下方向の振動に変換し、足載置台（１０）の足を載置する方向の足後端部分に設けられている。
【００１４】
また、足つぼ刺激部加振手段（５０）には、第３プーリ（５２）、第２ベルト（５４）及び偏心カム（５８）を備えるようにする。
第３プーリ（５２）は、モータ（２２）の回転軸（３０）の他方に備えられ、第２ベルト（５４）は、第３プーリ（５２）に巻装され、モータ（２２）の回転運動を伝達する。
偏心カム（５８）は、第２ベルト（５４）が巻装された第４プーリ（５６）を有し、その第４プーリ（５６）の回転軸（６０）中心に対し、中心軸がが偏心した状態で装着されており、足載置台（１０）の下部に設置されている。
【００１５】
さらに、足つぼ刺激部（４０）は、偏心カム（５８）に接触する底部（４２）と、足載置台（１０）に挿通されるように底部（４２）上に形成された頭部（４４）と、を備えるようにするのである。
【００１６】
このようにすると、足載置台加振手段（２０）のモータ（２２）の回転軸（３０）の回転運動が第１プーリ（２４）から第１ベルト（２６）を介して第２プーリ（２８）に伝達される。第２プーリ（２８）は、足載置台（１０）の足を載置する方向の足後端部の上下方向の振動に変換するリンク機構（３２）に備えられている。
【００１７】
したがって、モータ（２２）が作動（回転）すると、その回転運動が第１プーリ（２４）、第１ベルト（２６）及び第２プーリ（２８）により伝達され、リンク機構（３２）により足載置台（１０）の足を載置する方向の足後端部の上下方向の振動に変換される。つまり、モータ（２２）の作動により足載置台（１０）が上下振動をする。
【００１８】
また、モータ（２２）の他方の回転軸（３０）には、第３プーリ（５２）が設けられているので、モータ（２２）の回転運動は、第３プーリ（５２）から第２ベルト（５４）を介して偏心カム（５８）の第４プーリ（５６）に伝達される。つまり、モータ（２２）の作動により偏心カム（５８）が回転する。
【００１９】
ここで、足つぼ刺激部（４０）の底部（４２）が偏心カム（５８）に接触するので、偏心カム（５８）が回転すると、底部（４２）と足載置台（１０）に挿通されるように底部（４２）上に形成された頭部（４４）が上下方向に振動することになる。
【００２０】
さらに、足載置台（１０）は、載置される足の足裏のつぼ部分に、足つぼ刺激部（４０）の頭部（４４）を挿通するためのガイド穴（１２）を有しているので、足つぼ刺激部（４０）の頭部（４４）は、そのガイド穴（１２）に沿って上下振動をするので、足裏のつぼを刺激する。
【００２１】
このように、足載置台（１０）は、載置された足全体を振動させる必要があり、かつ、足を載置する方向の足後端部を比較的大きな幅で上下させることが必要である。そこで、足載置台加振手段（２０）にはリンク機構（３２）を用いると、容易に大きな振幅で足載置台を振動させることができるので都合がよい。
【００２２】
逆に、足つぼ刺激部（４０）は、足載置台（１０）の振動振幅よりも小さく、足載置台（１０）の振動周波数よりも高い周波数で振動させると、より効果的なマッサージ効果が得られる。つまり、足載置台（１０）より小さい振幅で高速振動させることが必要となるが、リンク機構（３２）を用いて足つぼ刺激部４０を高速振動させると騒音が大きくなる。
【００２３】
そこで、偏心カム（５８）を用いて、モータ（２２）の回転運動を足つぼ刺激部（４０）の上下振動に変換することで、リンク機構（３２）を用いるよりも騒音を少なくすることができるのである。
【００２４】
さらに、モータ（２２）の回転軸（３０）を両端部に突出させ、その回転軸（３０）の両端に第１及び第３プーリ（５２）を設けて各プーリにより回転運動を足載置台加振手段（２０）と足つぼ刺激部（４０）に伝達するので、１台のモータ（２２）で足載置台（１０）の上下振動と足つぼ刺激部（４０）の上下振動とを実現することができる。
【００２７】
ところで、第４プーリ（５６）が回転することにより偏心カム（５８）が第４プーリ（５６）の回転軸（６０）に対して偏心しつつ回転する。そして、偏心カム（５８）と足つぼ刺激部（４０）の底部（４２）が接しているので、偏心カム（５８）が回転すると足つぼ刺激部（４０）が上下に振動する。
【００２８】
このとき、偏心カム（５８）と足つぼ刺激部（４０）の底部（４２）の接触により音や熱が発生する。偏心カム（５８）の回転数が高い場合、この音が騒音になったり、熱で焼き付けが生じたりする場合がある。そこで、偏心カム（５８）は、その中心軸が、第４プーリ（５６）の回転軸（６０）への装着部分に対し、回動可能に取り付けられているようにするとよい。
【００２９】
このようにすると、第４プーリ（５６）の回転により偏心カム（５８）は偏心運動をするとともに、偏心カム（５８）と底部（４２）が接触する際の接触抵抗により、偏心カム（５８）は第４プーリ（５６）の回転軸（６０）に対し、自由に回転する、つまり、滑りが発生することになる。
【００３０】
したがって、偏心カム（５８）を第４プーリ（５６）の回転軸（６０）に固定する場合に比べ、回転軸（６０）部分と底部（４２）の接触面の両方で滑りが発生するので、接触面で発生する音や熱が低減されるので、偏心カム（５８）の回転数が高くても騒音の発生や熱による焼き付きが生じないようになる。
さらに、足載置台（１０）の振動幅を大きくし、足裏のマッサージ効果を高めるためには、請求項２に記載のように、リンク機構（３２）を足載置台（１０）に載せる足の後端側に配置し、足載置台（１０）は、足載置台（１０）に載せる足の足先側を回転中心として、リンク機構（３２）により上下に振動するよう構成するとよい。
このようにすると、足載置台（１０）の一端（載置する足の先端側）を回転中心とし、他端（載置する足の後端側）を加振点としてリンク機構（３２）により足載置台（１０）を加振するので、足載置台（１０）全体を振動させることができる。
【００３１】
ところで、足つぼ刺激部（４０）は高速で上下振動するため、足つぼ刺激部（４０）の頭部（４４）が直接足裏に当たると利用者にとって心地よさが失われる場合がある。そこで、請求項３に記載のように、足つぼ刺激部（４０）は、足載置台（１０）の表面に配置された頭部カバー（８２）により頭部（４４）が覆われ、足載置台（１０）に載置された足の裏面に直接頭部（４４）が接触しないように形成されているとよい。
【００３２】
このようにすると、頭部カバー（８２）により頭部（４４）が覆われているので、頭部（４４）が直接足裏に当たることがないので、足つぼ刺激部（４０）が高速で上下振動しても、利用者の心地よさが失われることがない。
【００３３】
なお、頭部カバー（８２）には、エラストマー製のものが用いられているが、他の材料、例えばゴム、ビニールあるいはポリエチレンなど弾性のある材料や、スポンジ材など加わる力を吸収する材料であればよい。
【発明を実施するための最良の形態】
【００３４】
以下、本発明が適用された実施形態について図面を用いて説明する。なお、本発明の実施の形態は、下記の実施形態に何ら限定されることはなく、本発明の技術的範囲に属する限り種々の形態を採りうる。
【００３５】
（足裏マッサージ器１の構成）
図１は、本発明が適用された足裏マッサージ器１の外観を示す外観図であり、図２は、足裏マッサージ器１の概略の構成を示す分解図である。足裏マッサージ器１は、図１に示すように、足載置台１０、足載置台加振部２０、足つぼ刺激部４０、足つぼ刺激部加振部５０及びベース７０を備えている。
【００３６】
足載置台１０は、利用者が足を載置するための台であり、足を載せる方向の略中央部分に、載置される足の足裏のつぼ部分を刺激する足つぼ刺激部４０の頭部４４を挿通するための４個のガイド穴１２を有している。
【００３７】
ガイド穴１２は、１個の足つぼ刺激部４０に設けられている２個の頭部４４に対応して、足を載せる方向に対して２個ずつ配置されたものが足を載せる方向に対して直角方向に２個対に配置されている。
【００３８】
また、足載置台１０は、足載置台１０に載せる足の足先側を回転中心として、リンク機構３２により上下に振動するよう構成されている。
具体的には、図２に示すように、足載置台１０の端部がベース７０に設けられた足載置台取付部７２にはめ込まれ、足載置台１０の端部（回転中心部分）に穿たれた穴と足載置台取付部７２に穿たれた穴とが連結ピン７４で連結されることにより、足載置台１０が連結ピン７４の部分を中心として回動可能となる。
【００３９】
足載置台加振部２０は、足載置台１０を上下に振動させて足裏に振動を与えるものであり、モータ２２、第１プーリ２４、第１ベルト２６及びリンク機構３２などを備えている。
【００４０】
モータ２２は、図３に示すように、回転軸３０が両端部に突出しており、その回転軸３０の一方の軸には、第１プーリ２４が装着され、他方の軸には第３プーリ５２が装着されている。
【００４１】
また、モータ２２は、４つのボルト９２及びナット９４によりフランジ９０に装着され、そのフランジ９０がベース７０に固定されることにより、モータ２２自体がベース７０に固定されている。
【００４２】
リンク機構３２は、第２プーリ２８を有し、その第２プーリ２８の回転運動を足載置台１０の足を載置する方向の足後端部の上下方向の振動に変換するものであり、足載置台１０の足を載置する方向の足後端部分に設けられている。
【００４３】
具体的には、連結ピン７４で足載置台取付部７２に連結された端部と反対端にリンク機構３２が配置されており、図４に示すように、ベース７０に設けられたリンク取付部７６に穿たれた穴に、第２プーリ２８の回転軸３４が挿通され、その回転軸３４の第２プーリ２８が取り付けられている反対端にリンク機構３２の一端部分が取り付けられている。また、リンク機構３２の他端部は足載置台１０に結合ピン３６（図２参照）で取り付けられている。
【００４４】
このように構成されたリンク機構３２では、第２プーリ２８が回転すると、第２プーリ２８の回転軸３４に装着されているリンク機構３２が上下運動を行うので、足載置台１０は、連結ピン３６の部分を回転中心として上下振動をする。
【００４５】
また、図２に示すように、第１プーリ２４と第２プーリ２８の間には第１ベルト２６が巻装されており、モータ２２が作動し、モータ２２の回転軸３０が回転すると、その回転が第１プーリ２４及び第１ベルト２６を介して第２プーリ２８に伝達され、前述のようにリンク機構３２により上下運動に変換され、足載置台１０を上下振動させる。
【００４６】
足つぼ刺激部４０は、足載置台１０のガイド穴１２に挿通され、足載置台１０表面から頭部４４が突出して上下に振動することにより足裏のつぼを刺激するものであり、図５に示すように、偏心カム５８に接触する底部４２、足載置台１０に挿通されるように底部４２上に形成された２つの頭部４４とから形成されている。
【００４７】
また、図５に示すように、頭部４４には、その外周にコイルバネ４６が装着されている。コイルバネ４６の一端は底部４２に接触し、他端は足載置台１０の底面に接触するように装着されている。このように頭部４４にコイルバネ４６を装着することにより、偏心カム５８により上側（足載置台１０側）に押し上げられた頭部４４を下側に押し下げて、頭部４４を上下振動させている。
【００４８】
底部４２及び頭部４４は、共に樹脂製であり、底部４２に穿たれた２箇所の穴に円柱状に形成された頭部４４が差し込まれ、固定されて形成いるが、樹脂を一体成型することにより形成してもよい。
【００４９】
足つぼ刺激部加振部５０は、足つぼ刺激部４０を、足載置台加振部２０による足載置台１０の上下振動とともに上下に振動させるものであり、第３プーリ５２、第２ベルト５４、第４プーリ５６、偏心カム５８などを備えている。
【００５０】
第３プーリ５２は、モータ２２の回転軸３０のうち第１プーリ２４が装着されている側と反対側の軸端に装着されている（図３参照）。
偏心カム５８は、第４プーリ５６とともにベース７０に設けられた偏心カム取付部７８に取り付けられている。
【００５１】
具体的には、図６に示すように、偏心カム取付部７８に設けられた軸穴に回転軸６０がベアリング６２を介して挿通され、その回転軸６０の一端に、回転中心が回転軸６０の回転中心と一致するように第４プーリ５６が取り付けられている。
【００５２】
また、回転軸６０の両端に、回転軸６０の回転中心から偏心した位置に回転の中心軸を有するように偏心カム５８が装着されている。
このとき、第４プーリ５６の回転軸６０に対し、偏心カム５８が固定されておらず、回転軸６０に対して自由に回転することができる、つまり、回転軸６０に対し滑りを発生させることができる構造となっている。
【００５３】
また、図２に示すように、第３プーリ５２と第４プーリ５６の間には第２ベルト５４が巻装され、モータ２２が作動して、その回転軸３０が回転すると、回転が第３プーリ５２、第２ベルトを介して第４プーリ５６に伝達され、偏心カム５８によって上下振動に変換される。
【００５４】
さらに、図１に示すように、足載置台１０は、一体成形された硬質ゴム製のカバー８０により全体が覆われている。カバー８０の足を載置する面には前面に小さな突起が形成されており、足載置台１０の上下振動にともない、足裏全体を刺激する。
【００５５】
また、カバー８０のうち、足つぼ刺激部４０の頭部４４が突出する部分の近傍には、他の部分よりも柔らかいエラストマーにより形成された頭部カバー８２が装着され、頭部４４が覆われ、頭部４４が直接利用者の足裏に接触しないようになっている。
【００５６】
なお、頭部カバー８２には、エラストマー製のものが用いられているが、他の材料、例えばゴム、ビニールあるいはポリエチレンなど弾性のある材料や、スポンジ材など加わる力を吸収する材料であればよい。
【００５７】
（足裏マッサージ器１の作動）
以上のように構成された足裏マッサージ器１の作動について図３に基づき説明する。足裏マッサージ器１のモータ２２が作動すると、回転軸３０の回転が第１プーリ２４及び第１ベルト２６を介して第２プーリ２８に伝達される。第２プーリ２８の回転は回転軸３４を介してリンク機構３２に伝達され、モータ２２の回転運動は、上下振動に変換される。
【００５８】
このとき、リンク機構３２が足載置台１０の一端に連結され、足載置台１０の他端はベース７０に回動可能に連結されているため、リンク機構３２の上下振動に伴い足載置台１０は全体的に上下振動をする。
【００５９】
また、モータ２２の回転軸３０の回転は第３プーリ５２及び第２ベルト５４を介して第４プーリ５６に伝達される。第４プーリ５６の回転は回転軸６０を介して偏心カム５８の回転運動に変換される。
【００６０】
偏心カム５８が回転するに従い、偏心カム５８に接触している足つぼ刺激部４０の底部４２が押し上げられ、さらに、回転すると底部４２がコイルバネ４６で押し下げられるため、偏心カム５８の回転が足つぼ刺激部４０の上下振動に変換される。
【００６１】
このとき、足つぼ刺激部４０の頭部４４が足載置台１０のガイド穴１２に挿通されているので、頭部４４が足載置台１０の表面から周期的に突出して足つぼを刺激する。
（足裏マッサージ器１の特徴）
以上のような足裏マッサージ器１では、足載置台１０が振動することにより、足載置台１０に載置されている利用者の足裏が全体的に刺激されるので、マッサージ効果が得られる。さらに、足載置台１０の振動とともに、足載置台１０に挿通した足つぼ刺激部４０が上下に加振されるので、足裏の全体の刺激とともに足裏のつぼが刺激されるので、単に足裏全体を振動させる場合に比べ、より効果的なマッサージ効果が得られる。
【００６２】
このとき、足載置台１０は、載置された足全体を振動させる必要があり、かつ、足を載置する方向の足後端部を十分な大きさの振幅で上下させることが必要であるので、リンク機構３２を用いて上下振動させている。
【００６３】
逆に、足つぼ刺激部４０は、足載置台１０の振動振幅よりも小さく、足載置台１０の振動周波数よりも高い周波数で振動させると、より効果的なマッサージ効果が得られる。つまり、足載置台１０より小さい振幅で高速振動させることが必要となるが、リンク機構３２を用いて足つぼ刺激部４０を高速振動させると騒音が大きくなる。
【００６４】
そこで、偏心カム５８を用いることで、モータ２２の回転運動を足つぼ刺激部４０の上下振動に変換することで、リンク機構３２を用いるよりも騒音を少なくすることができるのである。
【００６５】
さらに、モータ２２の回転軸３０を両端部に突出させ、その回転軸３０の両端に第１及び第３プーリ５２を設けて、各プーリにより回転運動を足載置台加振部２０と足つぼ刺激部４０に伝達するので、１台のモータ２２で足載置台１０の上下振動と足つぼ刺激部（４０）の上下振動とを実現することができる。
【００６６】
リンク機構３２を足載置台１０に載せる足の後端側に配置し、足載置台１０は、足載置台１０に載せる足の足先側を回転中心として、リンク機構３２により上下に振動するよう構成している。
【００６７】
したがって、足載置台１０の一端を回転中心とし、他端（足の後端側）を加振点としてリンク機構３２により足載置台１０を加振するので、足載置台１０全体を振動させることができる。
【００６８】
また、第４プーリ５６の回転軸６０に対し、偏心カム５８を固定していないので、第４プーリ５６の回転により偏心カム５８は偏心運動をするとともに、偏心カム５８と底部４２が接触する際の接触抵抗により、偏心カム５８は第４プーリ５６の回転軸６０に対し、自由に回転する、つまり、滑りが発生することになる。
【００６９】
したがって、偏心カム５８を第４プーリ５６の回転軸６０に固定する場合に比べ、回転軸６０部分と底部４２の接触面の両方で滑りが発生するので、接触面で発生する音や熱が低減されるので、偏心カム５８の回転数が高くても騒音の発生や熱による焼き付きが生じないようになる。
【００７０】
さらに、足つぼ刺激部４０は、足載置台１０の表面に配置された頭部カバー８２により頭部４４が覆われ、足載置台１０に載置された足の裏面に直接頭部４４が接触しないように形成されている。
【００７１】
つまり、頭部カバー８２により頭部４４が覆われているので、頭部４４が直接足裏に当たることがない。したがって、足つぼ刺激部４０が高速で上下振動しても、利用者の心地よさが失われることがない。
【００７２】
以上、本発明の実施形態について説明したが、本発明は、本実施形態に限定されるものではなく、種々の態様を採ることができる。
例えば、足つぼ刺激部４０の頭部４４を覆って、頭部４４が直接足裏に接触しないようにするために頭部カバー８２を設けているが、足つぼ刺激部４０の頭部４４を柔軟性のある材料で形成し、頭部カバー８２を用いない構造にしてもよい。
【００７３】
このように頭部４４に柔軟性を持たせることで、頭部４４が直接足裏に接触しても、使用者に不快感を与えないようにできるからである。
【図面の簡単な説明】
【００７４】
【図１】足裏マッサージ器１の外観を示す外観図である。
【図２】足裏マッサージ器１の概略の構成を示す分解図である。
【図３】モータ２１の概略の構成を示す図である。
【図４】リンク機構３２の概略の構成を示す図である。
【図５】足つぼ刺激部４０の概略の構成を示す図である。
【図６】偏心カム５８の概略の構成を示す図である。
【符号の説明】
【００７５】
１…足裏マッサージ器、１０…足載置台、１２…ガイド穴、２０…足載置台加振部、２２…モータ、２４…第１プーリ、２６…第１ベルト、２８…第２プーリ、３０…回転軸、３２…リンク機構、３４…回転軸、３６…結合ピン、４０…足つぼ刺激部、４２…底部、４４…頭部、４６…コイルバネ、５０…刺激部加振部、５２…第３プーリ、５４…第２ベルト、５６…第４プーリ、５８…偏心カム、６０…回転軸、６２…ベアリング、７０…ベース、７２…足載置台取付部、７４…連結ピン、７６…リンク取付部、７８…偏心カム取付部、８０…カバー、８２…頭部カバー、９０…フランジ、９２…ボルト、９４…ナット。
【図２】
0004691580.tif 000002
【図３】
0004691580.tif 000003
【図４】
0004691580.tif 000004
【図５】
0004691580.tif 000005
【図６】
0004691580.tif 000006
【図１】
0004691580.tif 000007